(57)【要約】 【課題】構造が簡単で中空管を強固に嵌合できる継手管を提供する。【解決手段】継手管１０は、本体部１１と、把持部１２と、本体部１１の表面に形成された螺旋状嵌合部１３と、通路１４とを備えている。また、螺旋状嵌合部１３は、螺旋状嵌合部１３の長手方向に沿って螺旋状に連続して形成された突起１５を備えている。中空管２０は、外壁２１と、内壁２２と、貫通孔２３とを備えている。螺旋状嵌合部１３は、本体部１１を通路１４の周方向に回転させることにより、中空管２０の内壁２２を変形させながら内壁２２と嵌合し、継手管１０と中空管２０とが強固に密着嵌合する。【選択図】図１
2014185740.tif 000002
【特許請求の範囲】
【請求項１】
物質分析用装置に使用される液体が通過する少なくともひとつの中空管と他の部材とを接続する継手管であって、
液体が通過する通路を内部に有する本体部と、
当該本体部の表面に螺旋状に連続して形成された突起から構成される螺旋状嵌合部と、を備え、
前記螺旋状嵌合部は、前記本体部を前記通路の周方向に回転させることにより、中空管の内壁を変形させながら当該内壁と嵌合可能である、継手管。
【請求項２】
請求項１に記載の継手管であって、
前記螺旋状嵌合部が先細り形状である、継手管。
【請求項３】
請求項１または２に記載の継手管であって、
前記螺旋状嵌合部の突起の高さが、前記中空管の壁の厚さより小さい、継手管。
【請求項４】
請求項１から３のいずれか１項に記載の継手管であって、
一対の前記螺旋状嵌合部が、前記本体部の長手方向の両端に形成されている、継手管。
【請求項５】
請求項１から４のいずれか１項に記載の継手管であって、
前記螺旋状嵌合部が雄ねじ部より構成され、
前記雄ねじ部に螺合する雌ねじ部を持つとともに、前記雄ねじ部と前記雌ねじ部の螺合時に前記中空管の外壁を押圧可能な接続補助部材をさらに備える、継手管。
【発明の詳細な説明】
【技術分野】
【０００１】
本発明は、物質分析用装置に使用され、液体が通過する中空管と他の部材とを接続する継手管に関する。
【背景技術】
【０００２】
物質分析用装置の分析用液体が流れる中空管同士、または、構成ユニットと中空管（チューブ）とを連結するために継手管を用いることがあるが、構造が簡単で強固に嵌合できることが望ましい。現在、雄コネクタ部と雌ナット部とでチューブ同士を高圧連結するチューブコネクタが、提案されている（特許文献１参照）。
【先行技術文献】
【特許文献】
【０００３】
【特許文献１】特表２０１２−５１９８１４号公報
【発明の概要】
【発明が解決しようとする課題】
【０００４】
しかしながら、特許文献１では、雄コネクタ部と雌ナット部との両方がなければチューブとの接続が不可能であり部材を多く必要とするという問題を生じていた。
【０００５】
本発明は、上記事由に鑑みてなされたものであり、その目的は、構造が簡単で中空管を強固に嵌合できる継手管を提供することにある。
【課題を解決するための手段】
【０００６】
本発明の継手管は、物質分析用装置に使用される液体が通過する少なくとも一つの中空管と他の部材とを接続する継手管であって、液体が通過する通路を内部に有する本体部と、当該本体部の表面に螺旋状に連続して形成された突起から構成される螺旋状嵌合部と、を備え、前記螺旋状嵌合部は、前記本体部を前記通路の周方向に回転させることにより、中空管の内壁を変形させながら当該内壁と嵌合可能である。
【０００７】
本発明の一態様として例えば、前記継手管は、前記螺旋状嵌合部が先細り形状である。
【０００８】
本発明の一態様として例えば、前記継手管は、前記螺旋状嵌合部の突起の高さが、前記中空管の壁の厚さより小さい。
【０００９】
本発明の一態様として例えば、前記継手管は、一対の前記螺旋状嵌合部が、前記本体部の長手方向の両端に形成されている。
【００１０】
本発明の一態様として例えば、前記継手管は、前記螺旋状嵌合部が雄ねじ部より構成され、前記雄ねじ部に螺合する雌ねじ部を持つとともに、前記雄ねじ部と前記雌ねじ部の螺合時に前記中空管の外壁を押圧可能な接続補助部材をさらに備える。
【発明の効果】
【００１１】
本発明によれば、中空管の内壁に食い込むように継手管の螺旋状嵌合部が螺合し、中空管を強制的に変形するため、中空管が継手管に弾性押圧するため密着強度が高まり、中空管と継手管の嵌合部分に於いて液体の漏れがない強化な連結ができる。また、本体部を通路の周方向に回転させるのみで中空管と接続ができるため、構成が簡素化されている。更に、回転させる力の向きが中空管の向きに対して垂直となり、接続作業に必要な力が軽減され、作業性が向上する。
【図面の簡単な説明】
【００１２】
【図１】本発明に係る継手管と中空管との一例を示す側面図。
【図２】本発明に係る継手管と中空管との嵌合状態を示す第１の実施形態の一例である側面図。
【図３】本発明に係る継手管と中空管との嵌合状態を示す第２の実施形態の一例である側面図。
【図４】第２実施形態に於ける嵌合の手順を示す側面図、（ａ）接続補助部材をセットした状態、（ｂ）中空管を接続補助部材に挿入した状態、（ｃ）継手管と中空管とが嵌合した状態。
【発明を実施するための形態】
【００１３】
以下、本発明に係る継手管の好適な実施形態を、図１〜４図に基づいて詳述する。
【００１４】
図１は、本発明に係る継手管と中空管との一例を示す側面図である。
【００１５】
継手管１０は、物質分析用装置に使用され、液体が通過し物質分析用装置に備えられる中空管２０と他の部材（中空管２０を含む）とを接続するために用いられる。物質分析装置とは、種々の液体を分析する、誘導結合プラズマ発光分析装置（ＩＣＰ発光分析装置）、液体クロマトグラフ分析装置、蛍光Ｘ線分析装置、等である。継手管１０は、耐薬品性の樹脂または金属からなり、本体部１１と、本体部１１の外側に突出する断面略六角形状の把持部１２と、本体部１１の表面に形成された螺旋状嵌合部１３と、継手管１０内部を貫通し液体が流れる通路１４とを備えている。また、螺旋状嵌合部１３は、把持部１２の両側に設けられ、螺旋状嵌合部１３の長手方向（図中矢印参照）に沿って螺旋状に連続して形成された突起１５から構成され、ボルト等のネジ山を形成し、雄ねじ部１６を備えている。
【００１６】
中空管２０は、耐薬品性樹脂からなり、物質分析装置で分析される液体を流すために断面略円形状で所定の長さを持ち、外壁２１と、内壁２２と、内壁２２に被装され液体の流路となる貫通孔２３とを備えている。
【００１７】
継手管１０の螺旋状嵌合部１３は、中空管２０の内壁２２に嵌合し易くするために、長手方向に対して把持部１２から離間するにしたがって螺旋状嵌合部１３の外径が小となる先細り形状（テーパー状）となっている。即ち、把持部１２に最も近い外径Ｄ１より本体部１１の先端の外径Ｄ２が小さく（Ｄ１＞Ｄ２）形成されている。また、先端の外径Ｄ２は、中空管２０の内壁２２の内径Ｄ３より大きく形成することにより（Ｄ２＞Ｄ３）、内壁２２が外方に膨らみ変形して継手管１０と中空管２０との密着度を高めることができる。更に、螺旋状嵌合部１３の突起１５の高さ（ピッチ高）Ｈは、中空管２０の壁の厚さＬよりも小さく（Ｈ＜Ｌ）形成され、中空管２０の変形に対して、確実に突起１５が内壁２２に食い込むことができる。
【００１８】
図２は、本発明に係る継手管と中空管との嵌合状態を示す第１の実施形態の一例である側面図である。
【００１９】
継手管１０と中空管２０の嵌合は、把持部１２を手またはスパナ等で保持し、本体部１１を回転させることにより行われる。螺旋状嵌合部１３の先端を中空管２０の先端に当接させ、本体部１１を通路１４の周方向に回転させながら、強制的に中空管２０の貫通孔２３に挿入させ、内壁２２の内径Ｄ３を拡張させて、突起１５を内壁２２に食い込ませる。更に螺旋状嵌合部１３の回転を進め、螺旋状嵌合部１３の先端を貫通孔２３のより内部に挿入させると共に複数の突起１５を内壁２２に食い込ませて（セルフロッキング）、継手管１０と中空管２０の嵌合を行う。これにより、中空管２０の内壁２２の内径Ｄ３はさらに外方向に拡張変形し、内壁２２は螺旋状嵌合部１３を包み込むような嵌合となるため、継手管１０と中空管２０との強固な密着嵌合が可能となる。
【００２０】
中空管２０を強制的に膨張変形させながら複数の突起１５が内壁２２に食い込むことにより、中空管２０の先端部近傍が弾性的に螺旋状嵌合部１３を押圧し、継手管１０と中空管２０との防水性の優れた嵌合接続ができる。また、本体部１１を通路１４の周方向に回転させるのみで中空管２０と接続ができるため、構成が簡素化されている。更に、回転させる力の向きが中空管２０の向きに対して垂直となり、接続作業に必要な力が軽減され、作業性が向上する。そして、継手管１０の通路１４と中空管２０の貫通孔２３とが確実に密着連結されるため、液体の流れに乱れや滞留を生じることがなく、物質分析用装置の測定値に影響を及ぼさない嵌合締結を提供できる。
【００２１】
把持部１２の両側に設けられた螺旋状嵌合部１３の突起１５のピッチは、同じでも異なっていても良い。また、中空管２０の内径Ｄ３に合わせて螺旋状嵌合部１３の外径Ｄ１、Ｄ２を変更可能である。螺旋状嵌合部１３は、把持部１２の両側に形成されていることを示したが、片側でも良く、片側である場合、継手管１０の他方側は、物質分析装置の他の部材である構成ユニットや他の中空管２０等と直結していても良い。また、把持部１２を六角形状として上述したが、形状に限定されず、手やスパナ等で持ちやすい形状であれば良い。尚、螺旋状嵌合部１３には雄ねじ部１６を構成する突起１５が設けられているが、突起１５のピッチを拡大し、螺旋状嵌合部１３をドリル形状のものにすることもできる。
【００２２】
図３は、本発明に係る継手管と中空管との嵌合状態を示す第２の実施形態の一例である側面図である。第１の実施形態と異なる点は、嵌合に接続補助部材を用いていることである。第１の実施形態と同一構成は、同一符号を用い詳述を省略する。
【００２３】
接続補助部材３０は、略円筒形状で樹脂又は金属からなり、螺旋状嵌合部１３の雄ねじ部１６と螺合する雌ねじ部３１と、中空管２０を保持する挿入部３２とを備え、継手管１０中空管２０との嵌合が容易になり、嵌合の密着性をより強固にするために用いられる。挿入部３２は、中空管２０が挿入する挿入口３３と、挿入口３３から雌ねじ部３１に向かって口径が大となる保持部３４とを備えている。また、保持部３４は、中空管２０が外方向に変形する度合いに見合うような形状を成し、中空管２０の外壁２１を雄ねじ部１６と雌ねじ部３１の螺合時及び嵌合完了後も常に押圧し、中空管２０の外方向への変形を抑制している。
【００２４】
次に、図４を用いて接続補助部材３０の作業手順を説明する。
【００２５】
図４は、第２の実施形態に於ける嵌合の手順の一例を示す側面図であり、（ａ）は、接続補助部材をセットした状態を示し、（ｂ）は、中空管を接続補助部材に挿入した状態を示し、（ｃ）は、継手管と中空管とが嵌合した状態を示している。
【００２６】
手順１（図（ａ）参照）：接続補助部材３０の雌ねじ部３１と雄ねじ部１６の先端を螺合させる。
【００２７】
手順２（図（ｂ）参照）：中空管２０の先端を接続補助部材３０の挿入口３３から挿入させ、中空管２０の先端と継手管１０の先端が当接するまで中空管２０を挿入部３２に挿入する。
【００２８】
手順３（図（ｃ）参照）：接続補助部材３０で中空管２０を保持し、雄ねじ部１６を通路１４の周方向に回転させる。雄ねじ部と１６と雌ねじ部３１とが螺合回転すると共に、雄ねじ部１６で中空管２０の内壁２２の内径Ｄ３を強制的に外方向に変形させ、雄ねじ部１６を内壁２２に食い込ませていく。同時に、雌ねじ部３１に対応した接続補助部材３０の外面側も外方向に変形していく。内壁２２と同時に強制的に外方向に変形された外壁２１は、保持部３４と当接して外壁２１の変形量を抑制されるため、突起１５と内壁２２との確実な嵌合が行われる。
【００２９】
螺旋状嵌合部１３が先細りであるため接続補助部材３０の外面側が外方向に変形することを上述したが、特に限定されず、螺旋状嵌合部１３の外径Ｄ１とＤ２が同じである、または、雌ねじ部３１の内径と外径Ｄ１とが同じである場合、雌ねじ部３１の接続補助部材３０の外面側は、外方向に変形しない。
【００３０】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【産業上の利用可能性】
【００３１】
本発明に係る継手管は、例えば、誘導結合プラズマ発光分析装置（ＩＣＰ発光分析装置）や液体クロマトグラフ分析装置などの物質分析用装置で分析に使用する試料液体等を流す中空管との嵌合を行う用途に適用可能である。
【符号の説明】
【００３２】
１０：継手管
１１：本体部
１２：把持部
１３：螺旋状嵌合部
１４：通路
１５：突起
１６：雄ねじ部
２０：中空管
２１：外壁
２２：内壁
２３：貫通孔
３０：接続補助部材
３１：雌ねじ部
【図１】
2014185740.tif 000003
【図２】
2014185740.tif 000004
【図３】
2014185740.tif 000005
【図４】
2014185740.tif 000006